(57)【要約】【課題】複数の表示部を備える携帯端末装置に適したウェブページの表示を実現する。【解決手段】第１表示部と、第２表示部と、表示対象となる画像データと、当該画像データを表示する表示部として前記第１表示部あるいは前記第２表示部のうち少なくともいずれか一方を表わす表示制御情報とが関連付けられた情報を、前記管理装置から受信する通信部と、前記通信部が受信した前記表示制御情報に基づき、前記画像データを前記第１表示部あるいは前記第２表示部の少なくともいずれか一方に表示させる制御部とを備える。【選択図】図１
2011003012.tif 000002
【特許請求の範囲】
【請求項１】
ネットワークを介して管理装置と通信する携帯端末装置であって、
第１表示部と、
前記第１表示部とは異なる第２表示部と、
表示対象である画像データと、当該画像データを表示する表示部として前記第１表示部あるいは前記第２表示部のうち少なくともいずれか一方を指定する表示制御情報とが関連付けられた情報を、前記管理装置から受信する通信部と、
前記通信部が受信した前記表示制御情報に従って、前記画像データを前記第１表示部あるいは前記第２表示部の少なくともいずれか一方に表示させる制御部と、
を備えることを特徴とする携帯端末装置。
【請求項２】
前記制御部は、
前記表示制御情報として、前記画像データを表示する表示部として前記第１表示部を指定する第１表示制御情報があるか否かを判断し、当該第１表示制御情報があった場合、当該第１表示制御情報に関連付けられている当該画像データを前記第１表示部に表示させ、
前記表示制御情報として、前記画像データを表示する表示部として前記第２表示部を指定する第２表示制御情報があるか否かを判断し、当該第２表示制御情報があった場合、当該第２表示制御情報に関連付けられている当該画像データを前記第２表示部に表示させることを特徴とする請求項１に記載の携帯端末装置。
【請求項３】
前記制御部は、
前記通信部を介して前記管理装置から前記画像データを受信した場合、当該画像データに関連付けられた前記表示制御情報を受信したか否かを判断し、当該表示制御情報による前記表示部の指定がない場合、前記第１表示部の画面および前記第２の表示部の画面を１つの連続した画面として前記第１表示部および前記第２表示部に表示させることを特徴とする請求項１あるいは２に記載の携帯端末装置。
【請求項４】
ユーザからの操作入力を受け付ける操作部をさらに備え、
前記通信部は、
前記操作入力が予め決められている操作であるか否かを判断し、予め決められている操作であった場合、当該操作入力を表わす操作情報を前記管理装置に送信し、
前記制御部は、
前記管理装置によって前記操作情報に応じた画像データが得られた場合、当該画像データを前記通信部を介して受信して、当該表示制御情報に従って当該画像データを前記第１表示部あるいは前記第２表示部のうち少なくともいずれか一方に表示させることを特徴とする請求項１から３のいずれか一項に記載の携帯端末装置。
【請求項５】
前記携帯端末装置は、複数の通信端末装置のうち個々を識別する端末識別情報を有する通信端末装置を介して前記管理装置と通信するものであって、
前記通信部は、
前記操作入力が予め決められている操作であると判断した場合、前記操作情報を前記通信端末装置に送信し、
前記制御部は、
前記通信端末装置によって前記携帯端末装置から受信した前記操作情報に自身に設定された前記端末識別情報を関連づけて前記管理装置に送信され、前記管理装置から前記端末識別情報に対応する画像データを受信した前記通信端末装置を介して当該画像データを前記通信部が受信した場合、前記表示制御情報が関連付けられた前記画像データを受信して、当該表示制御情報に従って前記端末識別情報に対応する前記画像データを前記第１表示部あるいは前記第２表示部のうち少なくともいずれか一方に表示させることを特徴とする請求項４に記載の携帯端末装置。
【請求項６】
前記通信部は、
前記第１表示部あるいは第２表示部の少なくともいずれか一方に表示されている前記画像データを表わす画像識別情報を前記操作情報に関連付けて前記管理装置に送信し、
前記制御部は、
前記管理装置によって前記画像識別情報に対応する配信画像データが得られた場合、前記表示制御情報に関連付けられた前記画像データを受信して、前記表示制御情報に従って前記画像識別情報に対応する前記画像データを前記第１表示部あるいは前記第２表示部のうち少なくともいずれか一方に表示させることを特徴とする請求項１から５のいずれか一項に記載の携帯端末装置。
【請求項７】
前記通信部は、
前記操作部を介して入力を受け付けた検索キーを前記管理装置に送信し、
前記制御部は、
前記管理装置によって前記検索キーに基づき検索されて当該検索キーに対応する検索結果が得られた場合、前記表示制御情報に従って、当該検索結果に応じた選択候補を表示する画像データを前記第１表示部に表示させるとともに、前記検索結果の中から選択された前記選択候補を拡大して前記第２表示部に表示させることを特徴とする請求項４から６のいずれか一項に記載の携帯端末装置。
【請求項８】
第１表示部と前記第１表示部とは異なる第２表示部を備え、ネットワークを介して管理装置と通信する携帯端末装置における表示方法であって、
前記携帯端末装置の通信部が、
表示対象である画像データと、当該画像データを表示する表示部として前記第１表示部あるいは前記第２表示部のうち少なくともいずれか一方を指定する表示制御情報とが関連付けられた情報を、前記管理装置から受信し、
前記携帯端末装置の制御部が、
前記通信部が受信した前記表示制御情報に従って、前記画像データを前記第１表示部あるいは前記第２表示部の少なくともいずれか一方に表示させる
ことを特徴とする携帯端末表示方法。
【請求項９】
第１表示部と前記第１表示部と異なる第２表示部を備え、ネットワークを介して管理装置と通信するコンピュータを、
表示対象である画像データと、当該画像データを表示する表示部として前記第１表示部あるいは前記第２表示部のうち少なくともいずれか一方を指定する表示制御情報とが関連付けられた情報を、前記管理装置から受信させる手段、
前記通信部が受信した前記表示制御情報に従って、前記画像データを前記第１表示部あるいは前記第２表示部の少なくともいずれか一方に表示させる手段
として機能させるためのプログラム。
【請求項１０】
第１表示部と前記第１表示部と異なる第２表示部とを備える携帯端末装置と、前記携帯端末装置１とネットワークを介して通信する管理装置とを含む携帯端末表示システムにおいて、
前記管理装置が、
表示対象である画像データと、当該画像データを表示する表示部として前記第１表示部あるいは前記第２表示部のうち少なくともいずれか一方を指定する表示制御情報とが関連付けられた情報を送信する管理通信部を備え、
前記携帯端末装置が、
前記管理通信部から送信された情報を受信する端末通信部と、
前記表示制御情報に従って、前記画像データを前記第１表示部あるいは前記第２表示部の少なくともいずれか一方に表示させる制御部とを備えることを特徴とする携帯端末表示システム。
【発明の詳細な説明】
【技術分野】
【０００１】
本発明は、複数の表示部を備える携帯端末装置、当該携帯端末装置にウェブページを表示させる携帯端末表示方法、携帯端末表示システムおよびプログラムに関する。
【背景技術】
【０００２】
携帯端末装置として、表示部にネットワークを介して受信したウェブページを表示する場合、ウェブページを表示するためのブラウザ機能を用いて受信したウェブページを表示部に表示させるものがある（特許文献１参照）。
【先行技術文献】
【特許文献】
【０００３】
【特許文献１】特開２００８−７１２６９号公報
【発明の概要】
【発明が解決しようとする課題】
【０００４】
しかしながら、複数の表示部を備える携帯端末装置が、上述のような１つの表示部において表示されるウェブページを表示する場合、いずれか１つの表示部にのみに表示するか、あるいは、複数の表示部を１つの表示部として複数の画面にわたって表示するため、複数の表示部を備える携帯端末装置に適したウェブページの表示が実現できない問題があった。
【０００５】
本発明は、このような事情を考慮し、上記の問題を解決すべくなされたものであって、その目的は、複数の表示部を備える携帯端末装置に適したウェブページの表示を実現するための携帯端末装置、携帯端末表示方法、携帯端末表示システムおよびプログラムを提供することにある。
【課題を解決するための手段】
【０００６】
上記問題を解決するために、本発明に係る携帯端末装置は、ネットワークを介して管理装置と通信する携帯端末装置であって、第１表示部と、前記第１表示部とは異なる第２表示部と、表示対象である画像データと、当該画像データを表示する表示部として前記第１表示部あるいは前記第２表示部のうち少なくともいずれか一方を指定する表示制御情報とが関連付けられた情報を、前記管理装置から受信する通信部と、前記通信部が受信した前記表示制御情報に従って、前記画像データを前記第１表示部あるいは前記第２表示部の少なくともいずれか一方に表示させる制御部と、を備えることを特徴とする携帯端末装置。
【０００７】
また、上述の携帯端末装置において、前記制御部は、前記表示制御情報として、前記画像データを表示する表示部として前記第１表示部を指定する第１表示制御情報があるか否かを判断し、当該第１表示制御情報があった場合、当該第１表示制御情報に関連付けられている当該画像データを前記第１表示部に表示させ、前記表示制御情報として、前記画像データを表示する表示部として前記第２表示部を指定する第２表示制御情報があるか否かを判断し、当該第２表示制御情報があった場合、当該第２表示制御情報に関連付けられている当該画像データを前記第２表示部に表示させることを特徴とする。
【０００８】
また、上述の携帯端末装置において、前記制御部は、前記通信部を介して前記管理装置から前記画像データを受信した場合、当該画像データに関連付けられた前記表示制御情報を受信したか否かを判断し、当該表示制御情報による前記表示部の指定がない場合、前記第１表示部の画面および前記第２の表示部の画面を１つの連続した画面として前記第１表示部および前記第２表示部に表示させることを特徴とする。
【０００９】
また、上述の携帯端末装置において、ユーザからの操作入力を受け付ける操作部をさらに備え、前記通信部は、前記操作入力が予め決められている操作であるか否かを判断し、予め決められている操作であった場合、当該操作入力を表わす操作情報を前記管理装置に送信し、前記制御部は、前記管理装置によって前記操作情報に応じた画像データが得られた場合、当該画像データを前記通信部を介して受信して、当該表示制御情報に従って当該画像データを前記第１表示部あるいは前記第２表示部のうち少なくともいずれか一方に表示させることを特徴とする。
【００１０】
また、上述の携帯端末装置において、前記携帯端末装置は、複数の通信端末装置のうち個々を識別する端末識別情報を有する通信端末装置を介して前記管理装置と通信するものであって、前記通信部は、前記操作入力が予め決められている操作であると判断した場合、前記操作情報を前記通信端末装置に送信し、前記制御部は、前記通信端末装置によって前記携帯端末装置から受信した前記操作情報に自身に設定された前記端末識別情報を関連づけて前記管理装置に送信され、前記管理装置から前記端末識別情報に対応する画像データを受信した前記通信端末装置を介して当該画像データを前記通信部が受信した場合、前記表示制御情報が関連付けられた前記画像データを受信して、当該表示制御情報に従って前記端末識別情報に対応する前記画像データを前記第１表示部あるいは前記第２表示部のうち少なくともいずれか一方に表示させることを特徴とする。
【００１１】
また、上述の携帯端末装置において、前記通信部は、前記第１表示部あるいは第２表示部の少なくともいずれか一方に表示されている前記画像データを表わす画像識別情報を前記操作情報に関連付けて前記管理装置に送信し、前記制御部は、前記管理装置によって前記画像識別情報に対応する配信画像データが得られた場合、前記表示制御情報に関連付けられた前記画像データを受信して、前記表示制御情報に従って前記画像識別情報に対応する前記画像データを前記第１表示部あるいは前記第２表示部のうち少なくともいずれか一方に表示させることを特徴とする。
【００１２】
また、上述の携帯端末装置において、前記通信部は、前記操作部を介して入力を受け付けた検索キーを前記管理装置に送信し、前記制御部は、前記管理装置によって前記検索キーに基づき検索されて当該検索キーに対応する検索結果が得られた場合、前記表示制御情報に従って、当該検索結果に応じた選択候補を表示する画像データを前記第１表示部に表示させるとともに、前記検索結果の中から選択された前記選択候補を拡大して前記第２表示部に表示させることを特徴とする。
【００１３】
さらに、上記問題を解決するために、本発明に係る携帯端末方法は、第１表示部と前記第１表示部とは異なる第２表示部を備え、ネットワークを介して管理装置と通信する携帯端末装置における表示方法であって、前記携帯端末装置の通信部が、表示対象である画像データと、当該画像データを表示する表示部として前記第１表示部あるいは前記第２表示部のうち少なくともいずれか一方を指定する表示制御情報とが関連付けられた情報を、前記管理装置から受信し、前記携帯端末装置の制御部が、前記通信部が受信した前記表示制御情報に従って、前記画像データを前記第１表示部あるいは前記第２表示部の少なくともいずれか一方に表示させることを特徴とする。
【００１４】
また、上記問題を解決するために、本発明に係るプログラムは、第１表示部と前記第１表示部と異なる第２表示部を備え、ネットワークを介して管理装置と通信するコンピュータを、表示対象である画像データと、当該画像データを表示する表示部として前記第１表示部あるいは前記第２表示部のうち少なくともいずれか一方を指定する表示制御情報とが関連付けられた情報を、前記管理装置から受信させる手段、前記通信部が受信した前記表示制御情報に従って、前記画像データを前記第１表示部あるいは前記第２表示部の少なくともいずれか一方に表示させる手段として機能させるためのプログラムであることを特徴とする。
【００１５】
また、上記問題を解決するために、本発明に係る携帯端末表示システムは、第１表示部と前記第１表示部と異なる第２表示部とを備える携帯端末装置と、前記携帯端末装置１とネットワークを介して通信する管理装置とを含む携帯端末表示システムにおいて、前記管理装置が、表示対象である画像データと、当該画像データを表示する表示部として前記第１表示部あるいは前記第２表示部のうち少なくともいずれか一方を指定する表示制御情報とが関連付けられた情報を送信する管理通信部を備え、前記携帯端末装置が、前記管理通信部から送信された情報を受信する端末通信部と、前記表示制御情報に従って、前記画像データを前記第１表示部あるいは前記第２表示部の少なくともいずれか一方に表示させる制御部とを備えることを特徴とする。
【発明の効果】
【００１６】
本発明によれば、複数の表示部を備える携帯端末装置に適したウェブページの表示を実現することができる。
【図面の簡単な説明】
【００１７】
【図１】本実施の形態に係る携帯端末表示システムの一例を説明するためのブロック図である。
【図２】本実施の形態に係る携帯端末装置の一例を示す概略図である。
【図３】本実施の形態に係る携帯端末装置に記憶されている情報の一例を示す概略図である。
【図４】本実施の形態に係る携帯端末表示方法の一例を示すフローチャートである。
【図５】本実施の形態に係る携帯端末装置に表示される表示例を示す概略図である。
【図６】本実施の形態に係る携帯端末表示方法の他の例を示すフローチャートである。
【図７】本実施の形態に係る携帯端末装置に表示される他の表示例を示す概略図である。
【図８】本実施の形態に係る携帯端末装置に表示される他の表示例を示す概略図である。
【図９】本実施の形態に係る携帯端末装置に表示される他の表示例を示す概略図である。
【図１０】本実施の形態に係る携帯端末装置に表示される他の表示例を示す概略図である。
【図１１】本実施の形態に係る携帯端末装置に表示される他の表示例を示す概略図である。
【図１２】本実施の形態に係る携帯端末装置に表示される他の表示例を示す概略図である。
【発明を実施するための形態】
【００１８】
図１は、本実施形態に係る携帯端末表示システム１００を説明する概観図である。
図１に示す通り、携帯端末表示システム１００は、携帯端末装置１と、管理装置３と、複数の通信基地局５と、複数のパーソナルコンピュータ７とを備える。管理装置３はネットワークを介して通信基地局５と接続されている。携帯端末装置１は、複数の通信基地局５のうち一の通信基地局５１と無線通信を行う。また、携帯端末装置１は、パーソナルコンピュータ７と無線通信を行う。携帯端末装置１は、通信基地局５あるいはパーソナルコンピュータ７と無線通信して、ネットワークを介して接続される管理装置３と通信する。
【００１９】
次に、図１と図２を用いて、携帯端末装置１について詳細に説明する。図２は、携帯端末装置１の概略図を示す。
携帯端末装置１は、第１表示部１１と、第２表示部１２と、端末制御部１３と、操作キー１４と、タッチパネル１５と、電源部１６と、端末通信部１７と、端末記憶部１８と、タイマ１９とを備える。
第１表示部１１および第２表示部１２は、例えば液晶表示装置であって、それぞれ異なる装置で構成される。また、第１表示部１１および第２表示部１２は、それぞれ異なる表示画面を備え、表示対象である画像データに基づく画像を、それぞれの表示画面に表示する。
端末制御部１３は、端末通信部１７が受信した情報を解析して、解析結果に基づき当該受信した情報が表わす内容を表示する表示部として第１表示部１１および第２表示部１２のうち少なくともいずれか一方を判断する解析制御機能と、当該解析制御機能の判断結果に基づき表示対象である画像データを第１表示部１１および第２表示部１２に表示させる表示制御機能を備える。なお、この解析制御機能と表示制御機能は、端末制御部１３のブラウザによって実現されるものであり、詳細について後述する。
【００２０】
操作キー１４は、ユーザからの操作入力を受け付けるボタンであって、ユーザのボタン操作に応じた操作情報を端末制御部１３に出力する。
タッチパッド１５は、第１表示部１１の上面に設けられており、第１表示部１１の画面に表示されている画像に対応するユーザの操作入力を受け付ける。例えば、タッチパッド１５は、ユーザが操作する操作ペンから圧力を受けることにより、ユーザからの操作入力を受け付け、操作ペンが接した画面上の位置を検出し、端末制御部１３に出力する。端末制御部１３は、タッチパッド１５によって検出された情報に基づき、第１表示部１１に表示している画像を参照して、ユーザからの操作入力の内容を判断する。
なお、操作キー１４とタッチパッド１５を合わせて、操作部とする。また、タッチパッド１５は、第１表示部１１の画面に応じたユーザからの操作入力を受け付けるものであればよく、第１表示部１１でなく第２表示部１２に設けられている構成であってもよい。
【００２１】
電源部１６は、電池に充電されている電力を端末制御部１３を介して、携帯端末装置１の各構成部に供給する。
端末通信部１７は、通信基地局５あるいはパーソナルコンピュータ７と無線通信を行う。
端末記憶部１８は、端末制御部１３に解析制御機能および表示制御機能を実現させるためのプログラムを記憶する。また、端末記憶部１８は、端末通信部１７を介して受信した画像データを一次的に記憶する。
タイマ１９は、第１表示部１１および第２表示部１２が表示する画像データ毎に、表示を開始した時点からの時間を計時する。
【００２２】
管理装置３は、管理制御部３１と、管理通信部３２と、管理操作部３３と、管理記憶部３４とを備える。
管理制御部３１は、管理通信部３２を介して通信基地局５あるいはパーソナルコンピュータから受信した情報に基づき、管理記憶部３４を参照して、管理記憶部３４に記憶されている出力情報（例えば、ＨＴＭＬファイル）を読み出す。また、管理制御部３１は、通信基地局５あるいはパーソナルコンピュータ７から受信した情報に基づき、当該情報を送信した携帯端末装置１に対して読み出したＨＴＭＬファイルを送信する。なお、本実施の形態では、管理制御部３１がＨＴＭＬファイルを送信する例を用いて説明するが、本発明はこれに限られず、例えば、ｊａｖａｓｃｒｉｐｔの言語によって記載されたファイルであってもよい。
【００２３】
また、管理制御部３１は、携帯端末装置１から検索キーを受信した場合、管理記憶部３４に記憶されている情報を参照して、検索キーに基づく検索を行う。管理制御部３１は、前記検索により検索結果を得た場合、当該検索結果に基づき、携帯端末装置１のブラウザが表示可能な“検索結果を表わす画像データ”をＨＴＭＬで作成し、管理通信部３２を介して携帯端末装置１に送信する。ここで、管理制御部３１は、電子チラシの検索を行い、検索結果として得られた電子チラシの“電子チラシ画像データ”を縮小した画像を表示するＨＴＭＬファイルを作成する。
【００２４】
さらに、管理制御部３１は、第１表示部１１に“検索結果を表わす画像データ”を表示させ、第２表示部１２に“検索キーを表わす画像データ”を表示させるＨＴＭＬファイルを作成する。ＨＴＭＬファイルは、例えば、ヘッダ情報とボディ情報とを含む。このボディ情報は、１つのまとまった単位として表わされる“検索キーを表わす画面データ”を構成する情報と、他の１つのまとまった単位として表わされる“検索結果を表わす画面データ”を構成する情報とを含む。この“検索結果を表わす画面データ”を構成する情報は、検索結果として得られた“電子チラシ画像データ”を含む。なお詳細については後述する。また、ヘッダ情報は、ボディ情報の“検索結果を表わす画面データ”を第１表示部１１に表示することを表わす表示制御情報Ｃ１と、ボディ情報の“検索キーを表わす画面データ”を第２表示部１２に表示することを表わす表示制御情報Ｃ２とを含む。この表示制御情報は、対応する表示部の表示対象である画像データと関連づけられており、表示制御情報Ｃ１と“検索結果を表わす画面データ”とが関連づけられ、表示制御情報Ｃ２と“検索キーを表わす画面データ”とが関連づけられている。すなわち、ヘッダ情報の前記表示制御情報によって、関連付けられている画像データを表示する表示部が指定されている。これにより、このＨＴＭＬファイルを受信した携帯端末装置１によって、表示部制御情報に基づき表示対象となる画像データをどの表示部に表示するか否かが判断される。
【００２５】
管理通信部３２は、ネットワークを介して複数の通信基地局５、あるいは複数のパーソナルコンピュータ７と接続されている。
管理入力部３３は、例えば、管理装置３の管理者からの操作入力を受け付ける。また、管理入力部３３は、電子チラシ画像データに当該電子チラシの属性情報（例えば、当該電子チラシを配布対象とするエリアを表わす郵便番号や地域名、付近の駅名、住所等の地域情報および店舗名やジャンル名等の店舗情報、当該電子チラシに連動させて表示すべきチラシ以外の広告情報等）を関連づけて管理記憶部３４に記憶する。
管理記憶部３４は、管理制御部３１にＨＴＭＬファイルを作成する機能を実現させるプログラムや、電子チラシ画像データ、および、携帯端末装置１から受信する操作情報に応じて出力するＨＴＭＬファイルを判断する出力ファイル情報とを記憶する。電子チラシ画像データは、検索キーに基づく検索により対比される属性情報（例えば、当該電子チラシを配布対象とするエリアを表わす郵便番号や地域名、付近の駅名、住所等の地域情報および店舗名やジャンル名等の店舗情報、当該電子チラシに連動させて表示すべきチラシ以外の広告情報等）と関連付けられている。出力ファイル情報は、例えば、図３に示すような情報である。図３は、管理記憶部３４に記憶される出力ファイル情報の一例を示す。
【００２６】
図３に示す通り、出力ファイル情報は、地域情報と、操作情報と、出力情報とがそれぞれ対応付けられている。
地域情報は、複数の通信基地局５のうち個々の通信基地局５１、５２、・・・、５ｎを識別する識別情報ＩＤ５１、ＩＤ５２、・・・、ＩＤ５ｎや、ネットワークと接続される複数の通信回線のうちパーソナルコンピュータ７１、７２が接続される回線を識別する識別情報ＩＤ７１、ＩＤ７２である。すなわち、この地域情報は、ユーザの有する携帯端末装置１がどこから管理端末３に接続しているのかを特定する情報である。これにより、管理装置３は、識別情報に基づき携帯端末装置１が存在している位置を認識することができる。  操作情報は、携帯端末装置１において入力された操作の内容を表わす情報である。
出力情報は、携帯端末装置１に出力される複数のファイルのうち、地域情報と操作情報との組み合わせに応じて、対応付けられている出力ファイルのデータである。
【００２７】
［携帯端末装置１の表示処理について］
次に、携帯端末装置１の表示処理の一例について説明する。図４は、携帯端末装置１の表示処理の一例について説明するフローチャートである。図５は、管理装置３による「電子チラシ検索処理」を実行する際の、初期入力画面を示す概略図である。
まず、携帯端末装置１が、通信基地局５１と無線通信ができるエリアにおいて、通信基地局５１を介して管理装置３に、初期入力画面を要求する信号を送信する。管理装置３は、当該信号を受信すると、管理記憶部３４に記憶されている“初期入力画面を表わす画像データ”を読み出し、ＨＴＭＬファイルとして携帯端末装置１に送信する。
ここで、“初期入力画面を表わす画像データ”のＨＴＭＬファイルは、ボディ情報として、１つのまとまった単位として表わされる“検索キーの入力状態を表示する画面データＤ１”と、これと異なる１つのまとまった単位として表わされる“検索キーの操作入力を表示する画面データＤ２”とを含む。また、このＨＴＭＬファイルは、ヘッダ情報として、“検索キーの入力状態を表示する画面データＤ１”を第２表示部１２に表示することを表わす表示制御信号Ｃ２と、“入力キーを表示する画面データＤ２”を第１表示部１１に表示することを表わす表示制御信号Ｃ１とを含む。
【００２８】
携帯端末装置１は、この“初期入力画面を表わす画像データ”のＨＴＭＬファイルを、通信基地局５１を介して受信すると、端末制御部１３にＨＴＭＬファイルの内容を解析させ、ＨＴＭＬファイルに記載されているタグに基づき第１表示部１１および第２表示部１２に表示する画像データを作成するための情報を得る（ステップＳＴ１）。例えば、端末制御部１３は、ＨＴＭＬファイルを解析することによって、ヘッダ情報から文字の色や背景の色、文字のサイズ、表示する画像データや文字データ、画像データの表示位置等の情報を得る。
次いで、端末制御部１３は、得られた解析結果に基づき、表示制御情報Ｃ１が得られたか否かを判断し（ステップＳＴ２）、ヘッダ情報から表示制御情報Ｃ１を得た場合（ステップＳＴ２−ＹＥＳ）、表示制御情報Ｃ１と関連付けられている“入力キーを表示する画面データＤ２”をボディ情報から得る。そして、端末制御部１３は、この“入力キーを表示する画面データＤ２”を、第１表示部１１に表示させる画像データであると認識する（ステップＳＴ３）。
【００２９】
また、端末制御部１３は、ステップＳＴ１によって解析された解析結果に基づき、表示制御情報Ｃ２が得られたか否かを判断し（ステップＳＴ４）、ヘッダ情報から表示制御情報Ｃ２が得られた場合（ステップＳＴ４−ＹＥＳ）、表示制御情報Ｃ２と関連付けられている“検索キーの入力状態を表示する画面データＤ１”をボディ情報から得る。そして、端末制御部１３は、この“検索キーの入力状態を表示する画面データＤ１”を、第２表示部１２に表示させる画像データであると認識する（ステップＳＴ５）。
【００３０】
そして、端末制御部１３は、ＨＴＭＬファイルの解析が終了した場合（ステップＳＴ６−ＹＥＳ）、ステップＳＴ３において認識した画像データを第１表示部１１に表示させ、ステップＳＴ５において認識した画像データを第２表示部１２に表示させる（ステップＳＴ７）。
【００３１】
一方、ステップＳＴ４において、表示制御情報Ｃ１および表示制御情報Ｃ２が得られなかった場合、端末制御部１３は、解析が終了したＨＴＭＬファイルを通常通り表示する通常表示を行う（ステップＳＴ８）。すなわち、第１表示部１１の画面と第２表示部１２の画面とを１つの連続した画面として、ＨＴＭＬファイルに記載されている画像データを表示する。ここで、端末制御部１３は、通常表示を行う場合、ＨＴＭＬファイルのボディ部分に記載されている情報を、第１表示部１１および第２表示部１２にわたって表示する。
【００３２】
これにより、端末制御部１３は、図５に示すように、第１表示部１１に“入力キーを表示する画面データＤ２”を表示し、第２表示部１２に“検索キーの入力状態を表示する画面データＤ１”を表示する。図５に示す通り、第２表示部１２には、“検索キーの入力状態を表示する画面データＤ１”が表示され、郵便番号から電子チラシを検索するための入力フィールドＦ１と、駅名、住所、店舗名等のいずれかのカテゴリの中から電子チラシを検索するための入力フィールドＦ２が表示される。一方、第１表示部１１には、“入力キーを表示する画面データＤ２”が表示され、文字や数字を入力する入力キーが表示される。
【００３３】
［携帯端末装置１の操作処理について］
次に、図６を用いて、携帯端末装置１の操作処理の一例について説明する。図６は、携帯端末装置１の操作処理の一例について説明するフローチャートである。図７は、管理装置３による「電子チラシ検索処理」によって得られた検索結果の画面を示す概略図である。
図６に示す通り、端末制御部１３は、上述の表示処理によって得られた画像データを第１表示部１１および第２表示部１２に表示した場合、この表示した時点から経過する時間をタイマ１９に計時させる。そして、タイマ１９は、予め決められている設定時間Ｔ１を経過したか否かを判断する（ステップＳＴ２１）。
ここで、画像データを表示した時点から設定時間Ｔ１が経過する前に、操作キー１４あるいはタッチパッド１５を介して操作情報を検出した場合（ステップＳＴ２２−ＹＥＳ）、端末制御部１３は、検出した操作情報の内容が予め決められている操作であるか否かを判断する（ステップＳＴ２３）。ここで、予め決められた操作としては、検索キーに基づく電子チラシの検索を要求する操作情報、第１表示部１１や第２表示部１２に表示されている画像データを拡大表示することを表わす操作情報、および電子チラシの一部を拡大して表示することを表わす操作情報が決められており、これらの操作情報が予め決められた操作であることを表わす情報が端末記憶部１８に記憶されている。
なお、ステップＳＴ２２において操作情報が検出された場合、タイマ１９は計時した時間をリセットする。
【００３４】
例えば、図５に示したように、第２表示部１２が“検索キーの入力状態を表示する画面データＤ１”を、第１表示部１１が“入力キーを表示する画面データＤ２”を表示している状態において、ユーザが操作ペンを用いて、第１表示部１１に表示されている「郵便番号」のボタンを押下する。すると、端末制御部１３は、郵便番号の入力を、入力フィールドＦ１から受け付ける状態となる。そして、第１表示部１１に表示されている数字のキーが押下され、入力フィールドＦ１に任意の郵便番号の数字（例えば「１００−０００１」）が入力されると、端末制御部１３は、入力フィールドＦ１に入力される郵便番号の情報として「１００−０００１」を得る。
次いで、ユーザが操作ペンを用いて、第１表示部１１に表示されている「検索」のボタンを押下すると（ステップＳＴ２４）、端末制御部１３は、端末通信部１７を介して、検索キーを郵便番号「１００−０００１」とする電子チラシの検索を要求する操作情報を管理装置３に送信する（ステップＳＴ２５）。
【００３５】
管理装置３は、この操作情報を受信すると、検索キー「１００−０００１」に基づき、管理記憶部３４を参照して、郵便番号「１００−０００１」と関連付けられている“電子チラシ画像データ”を検索する。ここで、管理制御部３１は、“ＡスーパーＡ町店の電子チラシ画像データＴＤ１”と、“ＢストアＡ町店の電子チラシ画像データＴＤ２”と、“ＣマーケットＡ町店の電子チラシ画像データＴＤ３”とを、検索により得る。
そして、管理制御部３１は、ＨＴＭＬファイルのボディ情報として、１つのまとまった単位として表わされる“検索キーを表わす画面データＤ３”を構成する情報と、これと異なる１つのまとまった単位として表わされる“検索結果を表わす画面データＤ４”を構成する情報を作成する。管理制御部３１は、“検索結果を表わす画面データＤ４”として、“ＡスーパーＡ町店の電子チラシ画像データＴＤ１”の縮小画像と、“ＢストアＡ町店の電子チラシ画像データＴＤ２”の縮小画像と、“ＣマーケットＡ町店の電子チラシ画像データＴＤ３”の縮小画像とが、各店舗名を表示するテキストデータと合わせて表示されるよう、タグを用いてボディ情報を作成する。
また、管理制御部３１は、ＨＴＭＬファイルのヘッダ情報として、ボディ情報の“検索結果を表わす画面データＤ４”と関連付けられた表示制御情報Ｃ１と、ボディ情報の“検索キーを表わす画面データＤ３”と関連づけられた表示制御情報Ｃ２とを記載する。
【００３６】
そして、管理制御部３１は、作成したＨＴＭＬファイルを通信基地局５１を介して携帯端末装置１に送信する。
これを受信した携帯端末装置１は、図４に示した表示処理を行い、図７に示すような画像を第１表示部１１および第２表示部１２に表示する。
すなわち、端末制御部１３は、図７に示すように、第１表示部１１に“検索結果を表わす画面データＤ４”を表示し、第２表示部１２に“検索キーを表わす画面データＤ３”を表示する。
【００３７】
［携帯端末装置１の拡大表示処理について］
また、例えば、図７に示したように、第１表示部１１が“検索結果を表わす画面データＤ４”を、第２表示部１２が“検索キーを表わす画面データＤ３”を表示している状態において、ユーザが操作ペンを用いて「ＡスーパーＡ町店の電子チラシ画像」を押下すると、端末制御部１３は、拡大表示処理を行う。以下、端末制御部１３の拡大表示処理について図３、図６および図８を用いて説明する。なお、図８は、拡大表示処理によって指定された電子チラシが拡大表示された状態を示す概略図である。
【００３８】
例えば、“検索結果を表わす画面データＤ４”の検索結果の１つとして、第１表示部１１に表示されている「ＡスーパーＡ町店の電子チラシ画像」が押下されると、端末制御部１３は、“ＡスーパーＡ町店の電子チラシ画像データＴＤ１”を拡大表示することを表わす操作情報を検出する（ステップＳＴ２６）。そして、端末制御部１３は、ＨＴＭＬファイルのボディ情報に基づき、“検索結果を表わす画面データＤ４”を第１表示部１１から第２表示部１２の表示に切り替えるとともに、“ＡスーパーＡ町店の電子チラシ画像データＴＤ１”を第１表示部１１のサイズに合わせて拡大し、第１表示部１１に表示する（ステップＳＴ２７）。
また、端末制御部１３は、“検索結果を表わす画面データＤ４”の検索結果の１つとして第１表示部１１に表示されている「ＡスーパーＡ町店の電子チラシ画像」が押下されると、“ＡスーパーＡ町店の電子チラシ画像データＴＤ１”を拡大表示することを表わす操作情報を通信基地局５１に送信する（ステップＳＴ２８）。すると、通信基地局５１は、自身の識別情報「ＩＤ５１」を操作情報に関連付けて管理装置３に送信する。
【００３９】
管理装置３は、操作情報を受信すると、管理記憶部３４の出力ファイル情報を参照して、識別情報「ＩＤ５１」が表わす地域情報、および操作情報「検索結果のうち電子チラシ００１を拡大表示する」の組み合わせに対応付けられている出力情報があるか否かを判断する。ここで、管理制御部３１は、図３に示す通り、この地域情報と操作情報と対応付けられている出力情報として“地域広告ＡＤ１１のファイル”を得る。なお、“地域広告ＡＤ１１のファイル”には、ＨＴＭＬファイルのヘッダ情報として、ボディ情報の“地域広告ＡＤ１１を表わす画面データ”を第２表示部１２に表示することを表わす表示制御情報Ｃ２が、“地域広告ＡＤ１１を表わす画面データ”に関連付けられている。
そして、管理制御部３は、この“地域広告ＡＤ１１のファイル”を、通信基地局５１を介して携帯端末装置１に送信する。
携帯端末装置１は、この“地域広告ＡＤ１１のファイル”を受信すると、図４に示した表示処理を行う。
【００４０】
すなわち、端末制御部１３は、“地域広告ＡＤ１１のファイル”のＨＴＭＬファイルに何が記載されているかを解析し、ＨＴＭＬファイルに記載されているタグに基づきヘッダ情報に表示制御情報Ｃ１があるか否かを判断する。“地域広告ＡＤ１１のファイル”のヘッダ情報からは表示制御情報Ｃ１が検出されないため、端末制御部１３は、現状において第１表示部１１に表示している画像データを、第１表示部１１に表示する画像データであると認識する。すなわち、図８の第１表示部１１に示されている“ＡスーパーＡ町店の電子チラシ画像データＴＤ１”を拡大して表示している画像データを、第１表示部１１に表示する画像データと認識する。
【００４１】
また、端末制御部１３は、“地域広告ＡＤ１１のファイル”のＨＴＭＬファイルを解析し、タグに基づきヘッダ情報に表示制御情報Ｃ２があるか否かを判断する。“地域広告ＡＤ１１のファイル”のヘッダからは表示制御情報Ｃ２を検出し、この表示制御情報Ｃ２において第２表示部１２に表示することが表わされている“地域広告ＡＤ１１を表わす画面データ”をボディ情報から得る。そして、端末制御部１３は、この“地域広告ＡＤ１１を表わす画面データ”を、第２表示部１２に表示させる画像データであると認識する。
そして、端末制御部１３は、第１表示部１１に表示されている“ＡスーパーＡ町店の電子チラシ画像データＴＤ１”はそのまま拡大して表示するとともに、“地域広告ＡＤ１１を表わす画面データ”を第２表示部１２に表示させる。
【００４２】
これにより、端末制御部１３は、図９に示す通り、第１表示部１１に“ＡスーパーＡ町店の電子チラシ画像データＴＤ１”の拡大画像を表示させ、第２表示部１２に“地域広告ＡＤ１１を表わす画面データ”を表示させる。また本発明においては地域広告に限られず、電子チラシ画面データに関連づけられたチラシ以外の広告情報、例えば、チラシ主が主催するイベント情報や、チラシに掲載された商品等のメーカーが主催するイベント情報等の画面データを上述した手法を用いて第２表示部１２に表示することが可能となる。
例えば、“チラシ主が主催するイベント情報を表わす画像データ”に“当該画像データを第２表示部１２に表示させることを表わす表示制御情報”が関連付けられた出力情報を、当該チラシ主の電子チラシに関する操作情報と対応付けて、管理記憶部３４の出力ファイル情報に記憶しておく。これにより、例えば、検索結果のうちチラシ主の電子チラシを拡大して表示する等の操作情報が携帯端末装置１から管理装置３に送信された場合、携帯端末装置１は、チラシ主のイベント情報を第２表示部１２に表示することができる。
【００４３】
ここで、携帯端末装置１の拡大表示の切替機能について説明する。図１０は、電子チラシの一部を拡大して第２表示部１２に表示している状態を示す概略図である。図１１は、図１０に示す表示状態を表示部ごとに入れ替えた状態を示す概略図である。
図８、９に示す通り、検索結果の中から、一の電子チラシの全体を拡大して第１表示部１１に表示している状態において、第１表示部１１の画面上の「拡大ボタン」１１１が操作ペン等で押下されると、端末制御部１３は、当該電子チラシの一部を拡大して表示する操作入力を受け付ける。これにより、端末制御部１３は、図１０に示すように、電子チラシの全体を表示している第１表示部１１の画面上において、拡大エリア（枠状のアイコンで指定された領域）１１３に対応する電子チラシの一部を第２表示部１２に拡大して表示する。ここでは、第２表示部１２に表示されている拡大エリア１１３の画像サイズは、第１表示部１１に全体が表示されている電子チラシの画像サイズと同じである。この拡大エリア１１３は、ユーザが操作ペンを第２表示部１２の上で移動させることにより、指定位置が変更される。このため、ユーザは容易に、電子チラシの全体から拡大エリア１１３を指定することができる。
また当該電子チラシの一部を拡大する方法としては、上記内容に限られず、第１表示部１１に画面表示されている電子チラシの拡大を所望するエリアを操作ペン等で押下を繰り返すことにより設定された定倍率で拡大表示が繰り返され、最大倍率で表示された後は定倍率で縮小表示される構成であってもよい。
【００４４】
ここで、図１０に示す表示状態で、ユーザが第１表示部１１の画面上の「切替ボタン」１１２を操作ペン等で押下すると、端末制御部１３は、当該電子チラシの表示の切替を表わす操作入力を受け付ける。これにより、端末制御部１３は、図１１に示すように、電子チラシの全体を第２表示部１２に表示し、当該電子チラシの全体において拡大エリア１１３に対応する電子チラシの一部を第１表示部１１に拡大して表示する。これにより、ユーザは、拡大エリア１１３において拡大されている電子チラシの一部のより細かい記載を、拡大された電子チラシで確認しながら、この拡大エリアを移動させる等の操作をすることができる。
【００４５】
また、図１０に示す状態において、電子チラシの一部を拡大して第１表示部１１に表示するよう「切替ボタン」が押下されたとき（ステップＳＴ２９）、端末制御部１３は、拡大エリア１１３で拡大している電子チラシの一部の位置情報を得る。そして、電子チラシの画像データに予め関連付けて記憶されている情報に基づき、当該拡大エリア１１３によって指定されている電子チラシに掲載の商品を表わす商品の識別情報を得る。そして、端末制御部１３は、この商品の識別情報と関連付けられた操作情報「拡大エリアを拡大表示する」を、通信基地局５１に送信する（ステップＳＴ３０）。すると、通信基地局５１は、自身の識別情報「ＩＤ５１」を操作情報に付与して、管理装置３に送信する。
【００４６】
管理装置３は、操作情報を受信すると、管理記憶部３４の出力ファイル情報を参照して、識別情報「ＩＤ５１」が表わす地域情報、および操作情報「拡大エリアを拡大表示する」の組み合わせに対応付けられている出力情報があるか否かを判断する。ここで、管理制御部３１は、図３に示す通り、この地域情報と操作情報と対応付けられている出力情報として“商品Ｒの詳細情報のファイル”を得る。なお、“商品Ｒの詳細情報のファイル”には、ＨＴＭＬファイルのヘッダ情報として、ボディ情報の“商品Ｒの詳細情報を表わす画像データ”を第２表示部１２に表示することを表わす表示制御情報Ｃ２が“商品Ｒの詳細情報を表わす画像データ”に関連付けられている表示制御情報を含む。
そして、管理制御部３は、この“商品Ｒの詳細情報のファイル”を、通信基地局５１を介して携帯端末装置１に送信する。
携帯端末装置１は、この“地域広告ＡＤ１１のファイル”を受信すると、図４に示した表示処理を行う。
【００４７】
これにより、図１２に示す通り、端末制御部１３は、拡大エリア１１３に対応する電子チラシの一部を第１表示部１１に拡大して表示するとともに、“商品Ｒの詳細情報を表わす画像データ”を第２表示部１２に表示する。
【００４８】
一方、ステップＳＴ２１において、予め決められている設定時間Ｔ１がタイマ１９によって計時された場合（つまり、画像データを表示した時点から設定時間Ｔ１が経過した場合）、携帯端末装置１は、設定時間Ｔ１が経過したことを表わす操作情報を通信基地局５１に送信する（ステップＳＴ３１）。すると、通信基地局５２は、自身の識別情報「ＩＤ５２」を操作情報に関連付けて管理装置３に送信する。
管理装置３は、操作情報を受信すると、管理記憶部３４の出力ファイル情報を参照して、識別情報「ＩＤ５２」が表わす地域情報、および操作情報「設定時間Ｔ１が経過した」の組み合わせに対応付けられている出力情報があるか否かを判断する。ここで、管理制御部３１は、図３に示す通り、この地域情報と操作情報と対応付けられている出力情報として“イベント情報のファイル”を得る。なお、“イベント情報のファイル”には、ＨＴＭＬファイルのヘッダ情報として、ボディ情報の“イベント情報を表わす画面データ”を第２表示部１２に表示することを表わす表示制御情報Ｃ２が“イベント情報を表わす画面データ”に関連付けられている。
そして、管理制御部３は、この“イベント情報のファイル”を、通信基地局５２を介して携帯端末装置１に送信する。携帯端末装置１は、この“イベント情報のファイル”を受信すると、図４に示した表示処理を行う。
【００４９】
上述の通り、第１表示部１１および第２表示部１２の複数の表示部を備える携帯端末装置１に対して、第１表示部１１および第２表示部１２の表示対象となる画像データと、当該画像データを表示する表示部を表わす表示制御情報とを関連付けたＨＴＭＬファイルを送信するようにした。これにより、携帯端末装置１は、受信したＨＴＭＬファイルに含まれる画像データを表示制御情報に基づき第１表示部１１および第２表示部１２に表示することができる。よって、複数の表示画面を備える携帯端末装置１に応じた画像データを表示させることができる。
【００５０】
また、携帯端末装置１は、受信したＨＴＭＬファイルが画像データを表示する表示部を表わす表示制御情報を含んでいない場合、第１表示部１１の画面と第２表示部１２の画面を１つの連続した画面として、第１表示部１１および第２表示部１２にわたって画像データを表示させるようにした。これにより、携帯端末装置１は、表示制御情報を含まないＨＴＭＬファイルを受信した場合であっても、受信した画像データを表示することができる。
【００５１】
さらに、携帯端末装置１は、操作部を介して操作入力を受け付けた場合、当該操作入力が予め決められている操作であって場合、この操作入力を表わす操作情報を管理装置３に送信するようにした。これにより、管理装置３は、操作情報に応じたＨＴＭＬファイルを携帯端末装置１に送信することができる。よって、携帯端末装置１の操作状態に応じた画像データを携帯端末装置１に送信することができる。
また、上述の通り、携帯端末装置１は、表示制御情報を用いることにより、２つの第１表示部１１および第２表示部１２のうち、いずれか一方にのみ表示させる画像データを携帯端末装置１に送信することができる。これにより、携帯端末装置１は、ユーザが操作の最中に管理装置３からＨＴＭＬファイルを受信した場合であっても、このＨＴＭＬファイルとして、画像データが第１表示部１１あるいは第２表示部１２のいずれか一方に表示することを表わす表示制御情報と関連付けられている情報があれば、操作中の画面のデータはそのまま第１表示部１１あるいは第２表示部１２のいずれか一方に表示しつつ、他の表示部に管理装置３から受信した画像データを表示することができる。このように、操作中の画面を一方の表示部に表示しておきながら、受信した画像データを他方の表示部に表示することができるため、ユーザによって要求された画像データのほか、ユーザが直接要求していない広告等の情報であっても送信することができる。
【００５２】
また、本実施の形態の通り、電子チラシは、非常に細かい文字や画像が複雑に表わされている画像データであって、複数の商品に関する情報や、電子チラシの対象店舗や対象地域に応じた情報を含んでいる。一方、携帯端末装置１は、その携帯性から表示部の画面がそれほど大きくない場合が多く、拡大して表示しなければ掲載商品の詳細部分まで見ることが困難である。
ここで、本実施の形態に係る携帯端末装置１は、検索結果として複数の電子チラシが表示されている画面に基づき、ある電子チラシの全体を拡大して表示することが操作された場合、検索結果を一方の画面に表示させつつ、電子チラシの全体を他方の画面に表示するようにした。これにより、非常に細かい表示が複雑に表わされている電子チラシの画像データであっても、ユーザに見やすい大きさで表示することができる。また、ユーザは、検索結果と照らし合わせながら、ある電子チラシの画像データを確認することができる。
また、電子チラシの一部を拡大して表示することがユーザから操作された場合、電子チラシの全体を一方の画面に表示させつつ、拡大して表示されている電子チラシの一部を他方の画面に表示するようにした。これにより、ユーザは、電子チラシの商品毎の情報等を、電子チラシの全体と照らし合わせながら見ることができる。
【００５３】
また、携帯端末装置１や管理装置３等の動作の過程は、コンピュータに実行させるためのプログラムや、このプログラムとしてコンピュータ読み取り可能な記録媒体として利用可能であり、コンピュータシステムが読み出して実行することによって、上記処理が行われる。なお、ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に記憶したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組み合せで実現できるもの、いわゆる差分ファイル（差分プログラム）であっても良い。
【符号の説明】
【００５５】
１・・・携帯端末装置、３・・・管理装置、５・・・通信基地局（通信端末装置）、７・・・パーソナルコンピュータ、１１・・・第１表示部、１２・・・第２表示部、１３・・・端末制御部、１４・・・操作キー（操作部）、１５・・・タッチパッド（操作部）、１６・・・電源部、１７・・・端末通信部、１８・・・端末記憶部、１９・・・タイマ、３１・・・管理制御部、３２・・・管理通信部、３３・・・管理入力部、３４・・・管理記憶部
【図１】
2011003012.tif 000003
【図２】
2011003012.tif 000004
【図３】
2011003012.tif 000005
【図４】
2011003012.tif 000006
【図５】
2011003012.tif 000007
【図６】
2011003012.tif 000008
【図７】
2011003012.tif 000009
【図８】
2011003012.tif 000010
【図９】
2011003012.tif 000011
【図１０】
2011003012.tif 000012
【図１１】
2011003012.tif 000013
【図１２】
2011003012.tif 000014